【手続補正書】
【提出日】平成21年9月16日(2009.9.16)
【手続補正１】
【補正対象書類名】特許請求の範囲
【補正対象項目名】請求項５
【補正方法】変更
【補正の内容】
【請求項５】
前記変換回路が、
前記フォトトランジスタのドレインと前記参照用トランジスタのドレインに定電圧を印加する第１の定電圧源と、
第２の定電圧源と、
前記第２の定電圧源と前記参照用トランジスタのソースの間に接続された負荷抵抗と、
第３の定電圧源と、
前記第３の定電圧源と前記参照用トランジスタのソースをイマジナリーショートさせるとともに、前記第２の定電圧源、前記第３の定電圧源及び前記負荷抵抗によって一定に定まる前記参照用トランジスタのドレイン電流を維持する浮動電圧を前記参照用トランジスタ及び前記フォトトランジスタのゲートに出力するオペアンプと、
前記参照用トランジスタのソースと前記フォトトランジスタのソースをイマジナリーショートさせるとともに、前記フォトトランジスタのドレイン電流信号を電圧信号に変換する電流−電圧変換器と、を備えることを特徴とする請求項１又は２に記載の光検出器。
【手続補正２】
【補正対象書類名】特許請求の範囲
【補正対象項目名】請求項６
【補正方法】変更
【補正の内容】
【請求項６】
前記変換回路が、
前記フォトトランジスタのソースと前記参照用トランジスタのソースに定電圧を印加する第１の定電圧源と、
第２の定電圧源と、
前記第２の定電圧源と前記参照用トランジスタのドレインの間に接続された負荷抵抗と、
第３の定電圧源と、
前記第３の定電圧源と前記参照用トランジスタのドレインをイマジナリーショートさせるとともに、前記第２の定電圧源、前記第３の定電圧源及び前記負荷抵抗によって一定に定まる前記参照用トランジスタのドレイン電流を維持する浮動電圧を前記参照用トランジスタ及び前記フォトトランジスタのゲートに出力するオペアンプと、
前記参照用トランジスタのドレインと前記フォトトランジスタのドレインをイマジナリーショートさせるとともに、前記フォトトランジスタのドレイン電流信号を電圧信号に変換する電流−電圧変換器と、を備えることを特徴とする請求項１又は２に記載の光検出器。
【手続補正３】
【補正対象書類名】特許請求の範囲
【補正対象項目名】請求項７
【補正方法】変更
【補正の内容】
【請求項７】
前記変換回路が、
前記フォトトランジスタのドレインと前記参照用トランジスタのドレインに定電圧を印加する第１の定電圧源と、
第２の定電圧源と、
前記第２の定電圧源と前記参照用トランジスタのソースの間に接続された負荷抵抗と、
第３の定電圧源と、
前記第３の定電圧源と前記参照用トランジスタのソースをイマジナリーショートさせるとともに、前記第２の定電圧源、前記第３の定電圧源及び前記負荷抵抗によって一定に定まる前記参照用トランジスタのドレイン電流を維持する浮動電圧を前記参照用トランジスタ及び前記フォトトランジスタのゲートに出力するオペアンプと、
前記フォトトランジスタのソースと前記第３の定電圧源をイマジナリーショートさせるとともに、前記フォトトランジスタのドレイン電流信号を電圧信号に変換する電流−電圧変換器と、を備えることを特徴とする請求項１又は２に記載の光検出器。
【手続補正４】
【補正対象書類名】特許請求の範囲
【補正対象項目名】請求項８
【補正方法】変更
【補正の内容】
【請求項８】
前記変換回路が、
前記フォトトランジスタのソースと前記参照用トランジスタのソースに定電圧を印加する第１の定電圧源と、
第２の定電圧源と、
前記第２の定電圧源と前記参照用トランジスタのドレインの間に接続された負荷抵抗と、
第３の定電圧源と、
前記第３の定電圧源と前記参照用トランジスタのドレインをイマジナリーショートさせるとともに、前記第２の定電圧源、前記第３の定電圧源及び前記負荷抵抗によって一定に定まる前記参照用トランジスタのドレイン電流を維持する浮動電圧を前記参照用トランジスタ及び前記フォトトランジスタのゲートに出力するオペアンプと、
前記フォトトランジスタのドレインと前記第３の定電圧源をイマジナリーショートさせるとともに、前記フォトトランジスタのドレイン電流信号を電圧信号に変換する電流−電圧変換器と、を備えることを特徴とする請求項１又は２に記載の光検出器。
【手続補正５】
【補正対象書類名】明細書
【補正対象項目名】０００９
【補正方法】変更
【補正の内容】
【０００９】
請求項５に係る発明によれば、
前記変換回路が、
前記フォトトランジスタのドレインと前記参照用トランジスタのドレインに定電圧を印加する第１の定電圧源と、
第２の定電圧源と、
前記第２の定電圧源と前記参照用トランジスタのソースの間に接続された負荷抵抗と、
第３の定電圧源と、
前記第３の定電圧源と前記参照用トランジスタのソースをイマジナリーショートさせるとともに、前記第２の定電圧源、前記第３の定電圧源及び前記負荷抵抗によって一定に定まる前記参照用トランジスタのドレイン電流を維持する浮動電圧を前記参照用トランジスタ及び前記フォトトランジスタのゲートに出力するオペアンプと、
前記参照用トランジスタのソースと前記フォトトランジスタのソースをイマジナリーショートさせるとともに、前記フォトトランジスタのドレイン電流信号を電圧信号に変換する電流−電圧変換器と、を備えることを特徴とする請求項１又は２に記載の光検出器が提供される。
【手続補正６】
【補正対象書類名】明細書
【補正対象項目名】００１０
【補正方法】変更
【補正の内容】
【００１０】
請求項６に係る発明によれば、
前記変換回路が、
前記フォトトランジスタのソースと前記参照用トランジスタのソースに定電圧を印加する第１の定電圧源と、
第２の定電圧源と、
前記第２の定電圧源と前記参照用トランジスタのドレインの間に接続された負荷抵抗と、
第３の定電圧源と、
前記第３の定電圧源と前記参照用トランジスタのドレインをイマジナリーショートさせるとともに、前記第２の定電圧源、前記第３の定電圧源及び前記負荷抵抗によって一定に定まる前記参照用トランジスタのドレイン電流を維持する浮動電圧を前記参照用トランジスタ及び前記フォトトランジスタのゲートに出力するオペアンプと、
前記参照用トランジスタのドレインと前記フォトトランジスタのドレインをイマジナリーショートさせるとともに、前記フォトトランジスタのドレイン電流信号を電圧信号に変換する電流−電圧変換器と、を備えることを特徴とする請求項１又は２に記載の光検出器が提供される。
【手続補正７】
【補正対象書類名】明細書
【補正対象項目名】００１１
【補正方法】変更
【補正の内容】
【００１１】
請求項７に係る発明によれば、
前記変換回路が、
前記フォトトランジスタのドレインと前記参照用トランジスタのドレインに定電圧を印加する第１の定電圧源と、
第２の定電圧源と、
前記第２の定電圧源と前記参照用トランジスタのソースの間に接続された負荷抵抗と、
第３の定電圧源と、
前記第３の定電圧源と前記参照用トランジスタのソースをイマジナリーショートさせるとともに、前記第２の定電圧源、前記第３の定電圧源及び前記負荷抵抗によって一定に定まる前記参照用トランジスタのドレイン電流を維持する浮動電圧を前記参照用トランジスタ及び前記フォトトランジスタのゲートに出力するオペアンプと、
前記フォトトランジスタのソースと前記第３の定電圧源をイマジナリーショートさせるとともに、前記フォトトランジスタのドレイン電流信号を電圧信号に変換する電流−電圧変換器と、を備えることを特徴とする請求項１又は２に記載の光検出器が提供される。
【手続補正８】
【補正対象書類名】明細書
【補正対象項目名】００１２
【補正方法】変更
【補正の内容】
【００１２】
請求項８に係る発明によれば、
前記変換回路が、
前記フォトトランジスタのソースと前記参照用トランジスタのソースに定電圧を印加する第１の定電圧源と、
第２の定電圧源と、
前記第２の定電圧源と前記参照用トランジスタのドレインの間に接続された負荷抵抗と、
第３の定電圧源と、
前記第３の定電圧源と前記参照用トランジスタのドレインをイマジナリーショートさせるとともに、前記第２の定電圧源、前記第３の定電圧源及び前記負荷抵抗によって一定に定まる前記参照用トランジスタのドレイン電流を維持する浮動電圧を前記参照用トランジスタ及び前記フォトトランジスタのゲートに出力するオペアンプと、
前記フォトトランジスタのドレインと前記第３の定電圧源をイマジナリーショートさせるとともに、前記フォトトランジスタのドレイン電流信号を電圧信号に変換する電流−電圧変換器と、を備えることを特徴とする請求項１又は２に記載の光検出器が提供される。